(57)【要約】【課題】簡単であって、段ボールその他の梱包構造の使用量が節約され、養生材としても再利用可能な、長さの異なる複数の部材の梱包構造を提供する。【解決手段】断面略コ字状に折り曲げられてなり、その一方の側面１１が、側面１１の長手方向の長さと同じ又は略同じ長さの長い部材５２を覆うよう構成された厚紙片１０に対して、両側面１１，１１を連結する底面１２と前記一方の側面１１に、その稜線を跨いで、少なくとも１対のＬ字状の切れ目Ｃ，Ｃが入れられ、その切れ目Ｃ，Ｃによって挟まれる部位を、断面略コ字状の内側に向け逆Ｌ字状の凸になるよう折り曲げ、その内向きの凸部分１５に、短い部材の端面６１を当接させ、その短い部材６１の長手方向の移動を阻止するようにした。【選択図】　　　図１
2004083077.tif 000002
【特許請求の範囲】
【請求項１】
断面略コ字状に折り曲げられてなり、その一方の側面が、側面の長手方向の長さと同じ又は略同じ長さの長い部材を覆うよう構成された厚紙片に対して、両側面を連結する底面に少なくとも１対の切れ目が入れられ、その切れ目によって挟まれる部位を、断面略コ字状の内側に向け凸になるよう折り曲げ、その内向きの凸部分に、短い部材の端面を当接させ、その短い部材の長手方向の移動を阻止するようにしたことを特徴とする長さの異なる複数の部材の梱包構造。
【請求項２】
断面略コ字状に折り曲げられてなり、その一方の側面が、側面の長手方向の長さと同じ又は略同じ長さの長い部材を覆うよう構成された厚紙片に対して、両側面を連結する底面と前記一方の側面に、その稜線を跨いで、少なくとも１対のＬ字状の切れ目が入れられ、その切れ目によって挟まれる部位を、断面略コ字状の内側に向け逆Ｌ字状の凸になるよう折り曲げ、その内向きの凸部分に、短い部材の端面を当接させ、その短い部材の長手方向の移動を阻止するようにしたことを特徴とする長さの異なる複数の部材の梱包構造。
【請求項３】
円筒状又は断面略Ｃ字状でその長手方向の長さと同じ又は略同じ長さの長い部材を覆うよう構成された厚紙片に対して、周面に少なくとも１対の切れ目が入れられ、その切れ目によって挟まれる部位を、円筒状又は断面略Ｃ字状の内側に向け凸になるよう折り曲げ、その内向きの凸部分に、短い部材の端面を当接させ、その短い部材の長手方向の移動を阻止するようにしたことを特徴とする長さの異なる複数の部材の梱包構造。
【請求項４】
前記凸部分を、前記請求項１乃至３のうちいずれか一つに記載の長さの異なる複数の部材の梱包構造の長手方向に、前記短い部材の長手方向の長さ分の間隔をおいて２箇所設け、両凸部分の間に短い部材を配置したことを特徴とする長さの異なる複数の部材の梱包構造。
【発明の詳細な説明】
【０００１】
【発明の属する技術分野】
本発明は、例えば１組の開き戸、引き戸等の木質枠材等のように、長さの異なる複数の部材の梱包構造に関するものである。
【０００２】
【従来の技術】
従来、例えば開き戸、引き戸等の木質枠材等のように、長い縦枠と短い鴨居、敷居とからなる、長さの異なる複数の部材は、一セット毎重ね合わされ、段ボール製の梱包材で梱包され、出荷される。そのうえ現場で開梱され、枠として組み立てられた後は、その他の工事終了まで、その枠の保護のための養生材として、前記梱包材の一部が再使用されていた。
【０００３】
しかしながら、梱包された短い部材の長手方向には、長い部材との長さの差分に相当する隙間が形成されるため、その隙間に折り畳まれた厚紙片等が詰められないと、輸送の途中で、水平方向から鉛直方向へと姿勢が変化する毎に、短い部材が隙間を下方に移動し、重心が移動する。そのため、持ち運びに支障を来たすだけでなく、極端な場合は、一方の側にあった短い部材が他方の側に移動し、その衝撃によって、梱包構造の端面が損傷したり、部材が梱包構造から突出するという事故が発生することもあった。そのうえ、部材の中には、長く、細いために、折れたり、曲がったりし易いパッキンが含まれることがあり、それが上記短い部材の移動に伴う圧縮、曲げ、挫屈によって折れる事故も発生することがあった。
【０００４】
それに対して、短い部材が移動しないよう、折り畳まれた段ボールやエアパットが隙間に詰められることもあるが、開梱後は、通常、それらは養生材として使用されることもなく、その分、ごみとしての廃棄量が増大するという問題点があった。
【０００５】
【発明が解決しようとする課題】
そこで本発明の目的とするところは、上記従来の手段によっても解決されない問題を解決するものであって、簡単であって、段ボールその他の梱包構造の使用量が節約され、養生材としても再利用可能な、長さの異なる複数の部材の梱包構造を提供することにある。
【０００６】
【課題を解決するための手段】
上記の目的を達するために、請求項１の発明の長さの異なる複数の部材の梱包構造は、断面略コ字状に折り曲げられてなり、その一方の側面（１１）が、側面（１１）の長手方向の長さと同じ又は略同じ長さの長い部材（５２）を覆うよう構成された厚紙片（１０）に対して、両側面（１１，１１）を連結する底面（１２）に少なくとも１対の切れ目（Ｃ，Ｃ）が入れられ、その切れ目（Ｃ，Ｃ）によって挟まれる部位を、断面略コ字状の内側に向け凸になるよう折り曲げ、その内向きの凸部分（１５）に、短い部材（６１）の端面を当接させ、その短い部材（６１）の長手方向の移動を阻止するようにしたことを特徴とする。
【０００７】
また請求項２に記載の長さの異なる複数の部材の梱包構造は、断面略コ字状に折り曲げられてなり、その一方の側面（１１）が、側面（１１）の長手方向の長さと同じ又は略同じ長さの長い部材（５２）を覆うよう構成された厚紙片（１０）に対して、両側面（１１，１１）を連結する底面（１２）と前記一方の側面（１１）に、その稜線を跨いで、少なくとも１対のＬ字状の切れ目（Ｃ，Ｃ）が入れられ、その切れ目（Ｃ，Ｃ）によって挟まれる部位を、断面略コ字状の内側に向け逆Ｌ字状の凸になるよう折り曲げ、その内向きの凸部分（１５）に、短い部材の端面（６１）を当接させ、その短い部材（６１）の長手方向の移動を阻止するようにしたことを特徴とする。
【０００８】
さらに請求項３に記載の長さの異なる複数の部材の梱包構造は、円筒状又は断面略Ｃ字状でその長手方向の長さと同じ又は略同じ長さの長い部材を覆うよう構成された厚紙片（３１０）に対して、周面に少なくとも１対の切れ目が入れられ、その切れ目によって挟まれる部位を、円筒状又は断面略Ｃ字状の内側に向け凸になるよう折り曲げ、その内向きの凸部分（３１５）に、短い部材の端面を当接させ、その短い部材の長手方向の移動を阻止するようにしたことを特徴とする。
【０００９】
また請求項４に記載の長さの異なる複数の部材の梱包構造は、凸部分（１５，３１５）を、前記請求項１乃至３のうちいずれか一つに記載の長さの異なる複数の部材の梱包構造の長手方向に、前記短い部材の長手方向の長さ分の間隔をおいて２箇所設け、両凸部分の間（１５と１５との間，又は３１５と３１５との間）に短い部材を配置したことを特徴とする。
【００１０】
上述の課題を解決するための手段で示された括弧内の符号は、後述する発明の実施の形態及び図面の符号に対応するものである。
【００１１】
本発明の長さの異なる複数の部材の梱包構造によれば、長い部材は、その長さと同じ又は略同じ長さを有する厚紙片によって覆われる。そして、短い部材は、厚紙片に設けられた内向きの凸部分に当接して長手方向の移動が阻止され、それによって、輸送の途中、梱包構造が水平方向から鉛直方向へとその姿勢を変化させることがあっても、短い部材が移動せず、その長手方向の移動が阻止される。
【００１２】
そのため、この梱包構造は、単に厚紙片に凸部分が形成されるだけで、短い部材の重心移動に伴う持ち運びに対する支障、移動に伴う衝撃や摩擦による損傷、短い部材の梱包構造からの突出、破損事故、長く、細いために、折れたり、曲がったりし易いパッキン等が折れるという事故のいずれも解消される。しかも、開梱、組み立て後は、各部材の養生材として再利用可能である。
【００１３】
特に請求項２の発明によれば、上述の作用効果に加えて、例えば基本的に断面長方形の板状部材よりなる引き戸用又はドア用の枠について、部材の少なくとも殆んどが重ね合わされたものの断面が長方形または略長方形のものの梱包構造としては、無駄がなく、コンパクトであって、保管、運搬その他取り扱い上、最適である。
【００１４】
【発明の実施の形態】
本発明の実施の形態例の長さの異なる複数の部材の梱包構造として、引き戸を例に図１及び図２を参照して説明する。
【００１５】
引き戸用の枠を構成する、長さの異なる複数の部材には、図２に示すように、長い部材５１，５２，５３として、それぞれ開口部側、戸袋側、中方立ての３本の縦枠（いずれも同じ長さ）が，そしてそれぞれ短い部材６１，６２として、鴨居、敷居が，他に前記開口側の縦枠にはめ込まれる、縦枠の長さと同じ長さの２本のパッキンＰ，Ｐが，含まれる。なお、図２では、枠に含まれる鴨居である短い部材６１が示されていないが（図１参照）、理解を容易にするため、枠には含まれない引き戸Ｄ１が示されている。
【００１６】
その梱包構造は、先ず図１（ａ）に示すように、短い部材６１，６２を覆うために、長い部材５１，５２，５３の長さと同じ又は略同じ長さを有し、断面コ字状に折り曲げられた厚紙片１０が準備される。従ってこの厚紙片１０は、両側面１１，１１と両側面１１，１１を連結する底面１２とからなる。
【００１７】
そして底面１２と一方の側面１１（図１では下側に位置する側面）に、その稜線を跨いで、少なくとも１対のＬ字状の切れ目Ｃ，Ｃが入れられ、その切れ目Ｃ，Ｃによって挟まれる部位を、断面略コ字状の内側に向け逆Ｌ字状の凸になるよう折れ線Ｅ，Ｅに沿って折り曲げられることによって内向きの凸部分１５が形成されている。凸部分１５は厚紙片１０の長手方向に沿って所定間隔をあけて２箇所形成されている。
【００１８】
しかも、図１（ｂ）に示すように、この凸部分１５，１５の向かい合う端面の間隔は、その間に短い部材６１，６２が互いに付き合わされ、嵌め込まれた状態の合計の長さと同じであって、短い部材６１，６２の両側、互いに離れた端面がそれぞれ凸部分１５，１５の端面に当接し、短い部材６１，６２の長手方向の移動が阻止されるよう設定されている。これにかえて、短い部材の長手方向の長さ分、間隔をあけて２つの凸部分１５，１５を設けるようにすることもできる。
なお、図では、厚紙片１０の長さが長い部材５２のそれに等しいことを示すために両者が重ね合わされている。すなわち、一方の側面１１（図１では下側に位置する側面）が、側面１１の長手方向の長さと同じ又は略同じ長さの長い部材５２を覆っている。
【００１９】
そのうえ、図１（ｃ）に示すように、全部材は重ね合わされ、厚紙片が折り曲げられて形成された、断面長方形の長い箱体２０に入れられ、端面も含めて全部材が完全に覆われるよう梱包されている。さらに詳細説明すると、鴨居である短い部材６１の溝部分にパッキンＰ，Ｐが嵌め込まれており、これらを覆う厚紙片１０の側面１１，１１の上下に２つの縦枠である長い部材５１，５２が重ね合わされて、前記箱体２０に入れられ、前記長い部材５２及び短い部材６１，６２の側方に中方立ての縦枠である長い部材５３が配置され、その上方の隙間部分には、折り畳まれた段ボール片３０やエアパット（図示省略）が詰められている。
【００２０】
このような梱包構造によれば、厚紙片１０に対して切り込みＣ，Ｃが入れられ、その部分が内側に折り曲げられ、凸部分１５，１５が形成され、その両凸部分１５，１５の間に短い部材６１，６２が嵌め込まれることによって、各凸部分１５，１５の相対するの端面に短い部材６１，６２の互いに離れた端面が当接し、それによって、輸送の途中、それが水平方向から鉛直方向へと姿勢が変化することがあっても、その長手方向の移動が阻止される。
【００２１】
そのため、従来のものにしばしば発生していた、重心の移動に伴う持ち運びに対する支障、移動に伴う衝撃や摩擦に伴なって損傷すること、短い部材が梱包構造から突出、破損する等の事故、さらに長く、細いために、折れたり、曲がったりし易いパッキンＰ，Ｐが折れるという事故のいずれも解消される。しかも、開梱、組み立て後は、各部材の養生材として再利用可能である。
なお、ここでは、切れ目Ｃ，ＣをＬ字状に入れたが、これにかえて、底面１２だけに１対の切れ目を入れ、その切れ目によって挟まれる部位を、断面略コ字状の内側に向け凸になるよう折り曲げて凸部分を形成することもできる。
【００２２】
その他、図３に示すように、短い部材６１，６２が突き合わされず、上下に重ね合わされ、厚紙片１１０で覆われるだけでなく、平らな上側の側面１１１に対して、下側の側面１１３が、短い部材６２が、左右に移動しないよう、図ではＺ状に折り曲げられ、また、前記短い部材６１，６２の長手方向の移動が阻止されるよう、上述のように凸部分１１５が形成され、そのうえ、長い部材５１，５２，５３を含む全体が箱体１２０に入れられたもの（１３０は段ボール片）、さらに、詳細図示は省略するが、凸部分が１つだけ形成され、その凸部分の端面と，箱体１２０との端面との間に短い部材６１，６２が嵌め込まれるよう構成されたものでも、作用効果は上述のものと基本的には同じである。
【００２３】
図４はドア用の枠についての別の実施態様を示すものであって、次のように構成される。先ず、上述のものと同様に基本的には断面コの字状に折り曲げられるが、さらに側面２１３（図４では下側に位置する側面）の幅方向中央が、図では下向って凸に断面コ字状に小さく折り曲げられ、大きいコの字、小さいコの字の、それぞれ角に、凸部分２１５，２１６が形成された厚紙片２１０が準備される。
【００２４】
次いで、その厚紙片２１０の、大きいコの字の部分に、それぞれ上枠、下枠である、長手方向に付き合わされた２つの短い部材２６１，２６２が、小さいコの字の部分に、上枠用戸当たりである、突起を有し、細い短い部材２６３が、凸部分２１５，２１６によって長手方向の移動が阻止されるよう、嵌め込まれる。３番目に、前記小さいコの字の部分の、厚紙片２１０の外、両側に、縦枠用の戸当りである、小突起を有し、細く、そのため破損し易い長い部材２５５，２５６が配置される。
【００２５】
４番目に、前記厚紙片２１０の面２１１，２１３の上下に２つの縦枠である長い部材２５１，２５２が重ね合わされ、全体として、箱体２２０に入れられ、その隙間が折り曲げられた段ボール片２３０で埋められる。しかしながら、その作用効果は、上述のものに比較して若干複雑になっているが、基本的には同じである。
【００２６】
図５は、必要に応じて、厚紙片３１０が断面コの字状以外の形状（例えば円筒形）に折り曲げられ、内向きの凸部分３１５，３１５が形成されたものを示しており、その作用効果は上述のものと基本的には同じである。また、断面Ｃ字状のものでも同様である。
【００２７】
【発明の効果】
本発明の長さの異なる複数の部材の梱包構造によれば、長い部材は、その長さと同じ又は略同じ長さを有する厚紙片によって覆われる。そして、短い部材は、厚紙片に設けられた内向きの凸部分に当接して長手方向の移動が阻止され、それによって、輸送の途中、梱包構造が水平方向から鉛直方向へとその姿勢を変化させることがあっても、短い部材が移動せず、その長手方向の移動が阻止される。
【００２８】
そのため、この梱包構造は、単に厚紙片に凸部分が形成されるだけで、短い部材の重心移動に伴う持ち運びに対する支障、移動に伴う衝撃や摩擦による損傷、短い部材の梱包構造からの突出、破損事故、長く、細いために、折れたり、曲がったりし易いパッキン等が折れるという事故のいずれも解消される。しかも、開梱、組み立て後は、各部材の養生材として再利用可能である。
【００２９】
特に請求項２の発明によれば、上述の作用効果に加えて、例えば基本的に断面長方形の板状部材よりなる引き戸用又はドア用の枠について、部材の少なくとも殆んどが重ね合わされたものの断面が長方形または略長方形のものの梱包構造としては、無駄がなく、コンパクトであって、保管、運搬その他取り扱い上、最適である。
【図面の簡単な説明】
【図１】本発明の実施の形態例の長さの異なる複数の部材の梱包構造の、引き戸用枠の部材に適用された場合の、それぞれ（ａ）はその基本となる厚紙片の構造を示す斜視図、（ｂ）は梱包状態を示す部分斜視図、（ｃ）は全体断面である。
【図２】引き戸用枠を示す平面図である。
【図３】図１の別の実施態様を示す断面図である。
【図４】ドア用枠の部材に適用されたものの実施態様を示す断面図である。
【図５】長方形とは異なる断面形状に折り曲げられた厚紙片の、（ａ）は断面図、（ｂ）は正面図である。
【符号の説明】
１　床基材
１０　厚紙片
１１　側面
１２　底面
１５　凸部分
２０　箱体
３０　段ボール片
５１　長い部材
５２　長い部材
５３　長い部材
６１　短い部材
６２　短い部材
１１０　厚紙片
１１１　側面
１１３　側面
１１５　凸部分
１２０　箱体
１３０　段ボール片
２１０　厚紙片
２１１　側面
２１３　側面
２１５　凸部分
２１６　凸部分
２２０　箱体
２３０　段ボール片
２５１　長い部材
２５２　長い部材
２５５　破損し易い長い部材
２５６　破損し易い長い部材
２６１　短い部材
２６２　短い部材
３１０　厚紙片
３１５　凸部分
Ｃ　切れ目
Ｐ　パッキン
【図１】
2004083077.tif 000003
【図２】
2004083077.tif 000004
【図３】
2004083077.tif 000005
【図４】
2004083077.tif 000006
【図５】
2004083077.tif 000007